(57)【要約】【課題】山林で伐採された伐倒木を極めて効率良く集材場まで集材することができ、ひいては国産材の競争力をつけ、山林の荒廃をも防止することができる新規な伐倒木集材方法を提供する。【解決手段】第１のウインチ６１と第２のウインチ６２とを交互に駆動させ、一方の主線１によりガイドされる第１の搬器１１と、他方の主線２によりガイドされる第２の搬器１２とを交互に往復動させることにより、上記一方及び他方の主線１，２の他端側で第１又は第２のフック６１ｂ，６２ｂに係合させた伐倒木Ｗを該一方及び他方の主線１，２の一端側ないしは上記第１又は第２のウインチ６１，６２側に交互に移送する。 【選択図】  図１
2012082050.tif 000002
【特許請求の範囲】
【請求項１】
山林の傾斜面の傾斜方向に沿って、それぞれ線材からなる一方の主線と他方の主線とを互いに平行に、又は該一方の主線と他方の主線との各一端側又は他端側が互いに離間するよう傾斜して張設し、
上記一方の主線には、第１の滑車を備えた第１の搬器を該一方の主線にガイドされながら走行可能な状態で配置し、上記他方の主線には、第２の滑車を備えた第２の搬器を該他方の主線にガイドされながら走行可能な状態で配置し、
上記一方の主線の一端側には、伐倒木又は該伐倒木に巻回された巻線に係止される第１のフックが先端に固定された第１のワイヤを有する第１のウインチを固定するとともに、該第１のワイヤの中途部を上記第１の滑車に掛け渡し、上記他方の主線の一端側には、伐倒木又は該伐倒木に巻回された巻線に係止される第２のフックが先端に固定された第２のワイヤを有する第２のウインチを固定するとともに、該第２のワイヤの中途部を上記第２の滑車に掛け渡し、
上記第１の搬器又は第２の搬器の何れか一方の搬器に接続線の一端を接続し、該接続線の他端を上記一端が接続された搬器とは異なる他方の搬器に接続し、または、
上記第１の搬器又は第２の搬器の何れか一方の搬器に接続線の一端を接続し、該接続線の中途部を上記一端が接続された搬器とは異なる他方の搬器に係止し、該接続線の他端を、上記接続線の一端が接続された上記一方の搬器に接続するとともに、
複数の接続線用滑車を用いて、上記接続線の中途部が、上記一方の主線や他方の主線と平行となる部位が形成されるように該接続線を支持させ、
上記第１のウインチと第２のウインチとを交互に駆動させ、上記一方の主線によりガイドされる第１の搬器と上記他方の主線によりガイドされる第２の搬器とを交互に往復動させることにより、上記一方及び他方の主線の他端側で上記第１又は第２のフックに係合させた伐倒木を該一方及び他方の主線の一端側ないしは上記第１又は第２のウインチ側に交互に移送することを特徴とする伐倒木の集材方法。
【請求項２】
前記接続線の一端と前記第１の搬器との間又は該接続線の他端と前記第２の搬器との間の少なくとも何れか一方に、それぞれ互いに連結部が形成された複数の調整線材を直線状に連結して配置し、または、
前記接続線の一端と前記第１の搬器との間又は該接続線と前記第２の搬器との間の少なくとも何れか一方に円周の長さを変更することができるループ状の調整線材を配置し、
上記調整線材の数を適宜増減し又は円周の長さを変更することにより、該第１の搬器又は第２の搬器が最も前記一方の主線又は他方の主線の一端側に位置したときにおける該第１の搬器と第２の搬器との距離を変化させながら伐倒木の移送を行うことを特徴とする請求項１記載の伐倒木の集材方法。
【請求項３】
前記接続線の一端を前記第１の搬器又は第２の搬器の何れか一方の搬器の他端に接続し、該接続線の他端を上記一方の搬器の一端に接続することにより、該接続線を、間に第１の搬器又は第２の搬器を介在させた状態で無端状に配置し、
この接続線が接続された一方の搬器とは異なる他方の搬器を上記接続線の中途部に係止し、
該接続線を係止した他方の搬器と接続線との係止状態を解除して係止位置を変更して再び係止させることにより、該第１の搬器又は第２の搬器が最も前記一方の主線又は他方の主線の一端側に位置したときにおける該第１の搬器と第２の搬器との距離を変化させながら伐倒木の移送を行うことを特徴とする請求項１記載の伐倒木の集材方法。
【請求項４】
前記請求項３記載の発明を構成する前記一方又は他方の主線の長さ方向とは直交する方向に、第１の中間滑車と第２の中間滑車とを取り付け、上記第１の中間滑車には、前記第１のウインチを構成する第１のワイヤ又は前記第２のウインチを構成する第２のワイヤの何れか一方のワイヤの中途部を掛け渡し、
上記第２の中間滑車には、上記第１のワイヤ又は第２のワイヤであって上記第１の中間滑車に掛け渡されたワイヤとは異なる他方のワイヤを掛け渡し、
上記第１の中間滑車に掛け渡した一方のワイヤの先端を、この一方のワイヤの中途部が前記一方の主線及び他方の主線と交差した状態で該第１の中間滑車とは離間した位置に固定するとともに、この一方ワイヤには、第３の滑車を備えた第３の搬器を該一方のワイヤにガイドされながら走行可能な状態で配置し、
上記第２の中間滑車に掛け渡された上記他方のワイヤの中途部を上記第３の滑車に掛け渡し、
上記一方のワイヤの先端の近傍に、第３のウインチを固定するとともに、この第３のウインチから引き出された第３のワイヤの先端を上記第３の搬器に接続することにより、
上記第１の中間滑車に掛け渡された中途部から先端までにおける一方のワイヤを第３の主線として利用しながら、この第３の主線にガイドされる上記第３の搬器と、上記他方のワイヤの先端に固定されたフックを利用して、上記一方及び他方の主線と直交する方向で伐採された伐倒木を該一方及び他方の主線側に移送し、その後に、請求項３記載の集材方法を行うことを特徴とする伐倒木の集材方法。
【請求項５】
前記請求項４記載の発明を構成する前記一方のワイヤであって該一方のワイヤの先端と前記第３の搬器との間の任意の位置に、第４の滑車と、掛け渡されたワイヤの取り外しが可能な第５の滑車と、をそれぞれ備えた第４の搬器を、該一方のワイヤに対して移動可能に支持させた状態で固定しておき、
この第４の搬器とは離間した位置に、第３の中間滑車を固定し、前記第３のウインチを構成する第３のワイヤの先端には一方のフックと他方のフックとを設け、該第３のワイヤの中途部は、上記第４の滑車，上記第３の中間滑車及び上記第５の滑車にそれぞれ掛け渡すとともに上記一方のフックを前記第３の搬器に係止し、他方のフックを上記一方のワイヤの先端に固定された第２又は第１のフック又はその近傍に係止し、
上記第３のウインチの駆動により、上記第３の搬器を上記一方のワイヤの長さ方向の任意の位置に移動させた後に、それまで上記第５の滑車に掛け渡されていた上記第３のワイヤを該第５の滑車から取り外すとともに、それまで第３の搬器に係止されていた上記一方のフックを該第３の搬器から取り外し、
次いで、上記第３のウインチを駆動させることにより、第３のワイヤの先端と上記他方のフックに係止された第２又は第１のワイヤである他方のワイヤの先端とを、上記第４の搬器と第３の中間滑車との間の任意に位置まで移動させ、該位置の近傍で伐採された伐倒木又は該伐倒木に巻回された巻線に係止し、
次いで、上記第２のウインチ又は第１のウインチを駆動させることにより、該伐倒木を上記第４の搬器の近傍まで移動させた後に、上記第３のワイヤの中途部を上記第５の滑車に掛け渡し、その後該第２のウインチ又は第１のウインチを駆動させることにより、上記一方又は他方の主線側に伐倒木を移送し、その後に第３の発明に係る集材方法を行うことを特徴とする請求項５記載の集材方法。
【発明の詳細な説明】
【技術分野】
【０００１】
本発明は、山林で伐採された間伐材や丸太その他の伐倒木を集材場に集材するために使用される伐倒木の集材方法に関するものである。
【背景技術】
【０００２】
これまで山林で伐採された間伐材や丸太その他の伐倒木は、伐採された地点から林道等の道路に近い集材場まで集材・搬送し、この集材場において所定の重機を用いて枝葉を払うとともに所定の長さに切断した上でトラックに積載し、製材工場等に搬送する方法が採られている。
【０００３】
ところで、上記山林で伐採された伐倒木を上記集材場まで搬送する集材方法は、これまで以下に説明する方法が採用されている。この従来の集材方法は、上記集材場から山林の傾斜方向にワイヤロープからなる主線（ないし主索）を張設（ないし張架又は架空）し、この主線に該主線にガイドされながら走行・移動可能とされた搬器を取り付ける（索道を設ける）一方、この主線の下側には、上記集材場の近傍に固定された一方のウインチから繰り出され、先端にはフックが固定されたワイヤを該主線に平行となる部位が形成されるよう配置する。また、上記主線の近傍には、他方のウインチを配置するとともに該主線の他端側には、滑車を取り付け、この他方のウインチを構成するワイヤを上記滑車に掛け渡すとともに先端を上記搬器に固定する。そして、上記主線の一端側にある搬器を、上記他方のウインチの駆動により主線の他端側（伐倒木が存在する位置）まで走行・移動させ、その上で、上記一方のウインチを構成するフックを伐倒木又は該伐倒木に巻回された係止用ワイヤ又はロープに係止させ、その上で上記一方のウインチを駆動させることにより、上記搬器を伐採地点（伐倒木が存在する位置）から集材場方向に移動・搬送させる方法である（特許文献１参照）。こうした集材方法は、他方のウインチを駆動させて１つの搬器を上記主線の他端側に移動させた上で、上記一方のウインチを構成するフックを伐倒木に係止させ、これが終了した後に上記一方のウインチを駆動させてワイヤを巻取ることにより、集材場方向に移動する搬器とともに伐倒木を移動させ、その後伐倒木から一方のウインチを構成するフックを外す方法である。すなわち、上記従来の集材方法は、一方及び他方のウインチを交互に駆動することにより、１つの搬器の往復動をさせて伐倒木を集材場に集材する方法である。
【先行技術文献】
【特許文献】
【０００４】
【特許文献１】特開平５−５１１９７号公報
【発明の概要】
【発明が解決しようとする課題】
【０００５】
ところで、上述した従来の集材方法等のように、搬器を往復動することにより行われる集材方法は、上記主線の一端が固定された集材場には、集材・移送されてきた伐倒木から上記フックを外す作業を行う集材場側作業者と、上記主線が張設された範囲又はその近傍において上記一方のウインチを構成するフックを伐倒木に係止させる作業を行う伐採側作業者とがそれぞれ各所で作業を行うことにより集材作業が進められる。しかしながら、これまでのこうした集材方法では、例えば、上記伐採側作業者が、伐倒木に上記フックを係止する作業が終了すると、再び搬器が往復して伐採側（伐倒木が存在する位置）に帰還するまで待機しなければならず、同様に、上記集材場側作業者も、集材場側に移送された伐倒木を上記フックから取り外す作業が終了すると、再び搬器が往復して集材場に帰還するまで待機しなければならず、作業性が著しく悪化している。因みに、伐倒木を集材場まで集材・搬送する集材作業は、不安定な傾斜地で行われる極めて過酷な作業である。他方、我が国の林業は、外国から輸入された安価な木材との価格競争にさらされ、競争力を失っているのが実情であり、上記過酷な作業環境と人件費の高騰とも相俟って我が国の木材の販売量が落ち、このため山林の荒廃も進んでいる。したがって、これまで林業で行われてきた集材作業の効率化は、輸入材との競争力にも十分寄与するとともに労働者の確保ないし雇用の創出に貢献するものである。
【０００６】
そこで、本発明は、上述した従来の伐倒木の集材方法が有する課題を解決するために提案されたものであって、山林で伐採された伐倒木を極めて効率良く集材場まで集材することができ、ひいては国産材の価格競争力をつけるとともに林業における雇用の創出を促し、山林の荒廃をも防止することができる新規な伐倒木集材方法を提供することを目的とするものである。
【課題を解決するための手段】
【０００７】
本発明は、上記課題を解決するために提案されたものであって、第１の発明（請求項１記載の発明）は、山林の傾斜面の傾斜方向に沿って、それぞれ線材からなる一方の主線と他方の主線とを互いに平行に、又は該一方の主線と他方の主線との各一端側又は他端側が互いに離間するよう傾斜して張設し、上記一方の主線には、第１の滑車を備えた第１の搬器を該一方の主線にガイドされながら走行可能な状態で配置し、上記他方の主線には、第２の滑車を備えた第２の搬器を該他方の主線にガイドされながら走行可能な状態で配置し、上記一方の主線の一端側には、伐倒木又は該伐倒木に巻回された巻線に係止される第１のフックが先端に固定された第１のワイヤを有する第１のウインチを固定するとともに、該第１のワイヤの中途部を上記第１の滑車に掛け渡し、上記他方の主線の一端側には、伐倒木又は該伐倒木に巻回された巻線に係止される第２のフックが先端に固定された第２のワイヤを有する第２のウインチを固定するとともに、該第２のワイヤの中途部を上記第２の滑車に掛け渡し、上記第１の搬器又は第２の搬器の何れか一方の搬器に接続線の一端を接続し、該接続線の他端を上記一端が接続された搬器とは異なる他方の搬器に接続し、または、上記第１の搬器又は第２の搬器の何れか一方の搬器に接続線の一端を接続し、該接続線の中途部を上記一端が接続された搬器とは異なる他方の搬器に係止し、該接続線の他端を、上記接続線の一端が接続された上記一方の搬器に接続するとともに、複数の接続線用滑車を用いて、上記接続線の中途部が、上記一方の主線や他方の主線と平行となる部位が形成されるように該接続線を支持させ、上記第１のウインチと第２のウインチとを交互に駆動させ、上記一方の主線によりガイドされる第１の搬器と上記他方の主線によりガイドされる第２の搬器とを交互に往復動させることにより、上記一方及び他方の主線の他端側で上記第１又は第２のフックに係合させた伐倒木を該一方及び他方の主線の一端側ないしは上記第１又は第２のウインチ側に交互に移送することを特徴とするものである。
【０００８】
上記第１の発明に係る伐倒木の集材方法では、例えば、上記第１の搬器が第１のウインチ側（一方の主線の一端側）に位置するとき、上記第２の搬器は、該第１の搬器よりも他方の主線の他端側に位置している。こうした位置関係とは逆に、上記第２の搬器が一方の主線の一端側に位置している場合には、上記第１の搬器は、該第２の搬器よりも他方の主線の他端側に位置している。なお、上記第１又は第２の搬器が、一方又は他方の主線側に位置している場合における両者の距離は、少なくともこの第１の発明においては、接続線の長さによる。一方及び他方の主線の長さが一定である場合において、この接続線の長さが長ければ長いほど、上記位置関係における両者の距離は短く、逆に接続線の長さが短い（一方及び他方の主線の長さに近い）場合には、上記位置関係における両者の距離は長くなる。そして、先に説明した位置に、第１の搬器と第２の搬器とがそれぞれ存在する場合、第１の搬器の移動に伴い搬送されてきた伐倒木を第１のフックから取り外す作業がなされ、このとき第２の搬器が位置する場所では、伐採された伐倒木又は該伐倒木に巻回された巻線に第２のフックを係止させる作業が行われる。そして、上記一方の主線の一端側に移送された伐倒木を第１のフックから取り外す作業と、他方の主線の他端側において伐倒木を第２のフックに係止する作業が何れも終了すると、次いで、上記第２のウインチを駆動させ、該第２のウインチを構成する第２のワイヤを巻き上げる。このとき、上記第１のウインチはフリーの状態としておく。そして、上記第２のウインチの駆動が開始すると、第２の滑車まで伐倒木が引き寄せられるとともに、第２の滑車と伐倒木とが最大限接近すると、次いで第２の搬器が他方の主線にガイドされながら徐々に第２のウインチ側（第２の主線の一端側）に移動する。このとき、上記第２の搬器と第１の搬器とは、上記接続線により互いに連結されているととともに、この接続線の中途部は、上記一方の主線と平行になる部位と、上記他方の主線に平行となる部位とが形成されるように、中途部が複数の接続線用滑車に支持されていることから、第１の搬器は、第２の搬器の移動距離と同じ距離に亘って一方の主線の他端側に移動する。そして、上記第２の搬器が他方の主線の一端側（第２のウインチ側）に移動（到着）すると、第１の搬器は、当初第２の搬器が位置していた場所に近い位置に到着する。
【０００９】
したがって、上記第１の発明に係る伐倒木の集材方法を使用することにより、単一の搬器を往復動させることにより行われていた従来の集材方法に比べて極めて効率性の高い集材作業（２倍の作業量）を実現することができる。
【００１０】
なお、上記一方の主線と他方の主線とは、互いに平行となるよう張設されることが好ましいが、該一方の主線と他方の主線との一端側又は他端側が互いに接近するようにやや傾斜して張設されているものであっても良い。また、上記第１及び第２の搬器は、それぞれ少なくとも上記一方の主線又は他方の主線に支持・ガイドされる機構ないし構成（例えば滑車等）と、第１又は第２のウインチを構成する第１又は第２のワイヤの中途部が掛け渡される第１又は第２の滑車を備えていれば良く、上記第１及び第２の滑車は単一であっても複数であっても良い。また、上記一方の主線と他方の主線との距離は、少なくとも一方及び他方の搬器が互いにすれ違う際に衝突する等の支障がない程度の距離であれば足り、作業現場の状況や作業者の数等によって適宜決定すれば良い。
【００１１】
また、第２の発明（請求項２記載の発明）は、上記第１の発明において、前記接続線の一端と前記第１の搬器との間又は該接続線の他端と前記第２の搬器との間の少なくとも何れか一方に、それぞれ互いに連結部が形成された複数の調整線材を直線状に連結して配置し、または、接続線の一端と前記第１の搬器との間又は該接続線と前記第２の搬器との間の少なくとも何れか一方に円周の長さを変更することができるループ状の調整線材を配置し、上記調整線材の数を適宜増減し又は円周の長さを変更することにより、該第１の搬器又は第２の搬器が最も前記一方の主線又は他方の主線の一端側に位置したときにおける該第１の搬器と第２の搬器との距離を変化させながら伐倒木の移送を行うことを特徴とするものである。
【００１２】
この第２の発明に係る伐倒木の集材方法は、上記第１の発明を構成する接続線の一端を第１又は第２の搬器の何れかに接続し、該接続線の他端を、該接続線の一端が固定された搬器とは異なる搬器に接続したものに対して、さらに複数の調整線材又は単一の調整線材を使用したものである。この第２の発明に係る伐倒木の集材方法では、上述した調整線材を第１又は第２の搬器と接続線の一端又は他端との間に配置して伐倒木を集材するものであることから、以下に説明する方法により、山林で伐採された伐倒木を集材することができる。例えば、第１の搬器が最も一方の主線の一端側に位置する場合における第２の搬器が、該第１の搬器から例えば２０ｍ離れた位置となるように、上記複数の調整線材を第１の搬器と接続線の一端との間、又は第２の搬器と接続線の他端との間に配置（介在）させる。こうした調整線材を介在させた上で、前述したように、第２のウインチを駆動させ、或いはその後に第１のウインチを駆動させると、該第１の搬器と第２の搬器とは２０ｍの距離に亘って往復動することとなる。すなわち、この方法によれば、一方及び他方の主線の一端側である集材場から約２０ｍ離間した位置で伐採された伐倒木を集材することができる。その後、上記調整線材の数を減少させ又は増加させるか、或いは上記ループ状の調整線材を使用する場合には、円周の長さを短くするか長くすれば、第１の搬器と第２の搬器との距離が短くなり又は長くなる。例えば、第１の搬器と第２の搬器との長さを短くすれば、上記一方及び他方の主線の一端側（集材場）から２０ｍより更に長い距離に亘って第１及び第２の搬器がそれぞれ往復動することとなり、逆に第１の搬器と第２の搬器との長さを長くすれば、上記一方及び他方の主線の一端側（集材場）から２０ｍより短い距離に亘って第１及び第２の搬器がそれぞれ往復動することとなる。通常は、集材場に近接した位置で伐採された伐倒木を集材し、その後徐々に集材場からの距離を伸ばしながら集材することから、上記それぞれ連結するタイプの調整線材を使用する場合には、より多くの調整線材を予め直線状に連結しておき、その後順番に該調整線材を取り外して行けば良い。また、ループ状の調整線材を使用する場合には、円周の長さを長くした上で上記位置に配置（介在）させ、その後徐々に該円周の長さを短くすることにより、同様の作業が可能となる。
【００１３】
なお、この第２の発明に係る伐倒木の集材方法は、前記接続線の一端と前記第１の搬器との間又は該接続線と前記第２の搬器との間の少なくとも何れか一方の搬器に調整線材を配置（介在）させて伐倒木を集材する方法である。したがって、この調整線材は、上述したように、接続線の一端と前記第１の搬器との間又は接続線の他端と第２の搬器との間の何れか一方にのみに配置するか、更には接続線の一端と第１の搬器との間と該接続線の他端と第２の搬器との間の双方に配置しても良い。また、上記調整線材は、互いに連結部が形成された個々の調整線材を用い、これを複数個直線状に連結しても良いし、或いは、直線状の線材をループ状に曲げ、そのループの円周の長さを変更することができるようにした単一の調整線材又はこうした調整線材を複数連結してなる調整線材を使用しても良い。
【００１４】
また、第３の発明（請求項３記載の発明）は、上記第１の発明において、前記接続線の一端を前記第１の搬器又は第２の搬器の何れか一方の搬器の他端に接続し、該接続線の他端を上記一方の搬器の一端に接続することにより、該接続線を、間に第１の搬器又は第２の搬器を介在させた状態で無端状に配置し、この接続線が接続された一方の搬器とは異なる他方の搬器を上記接続線の中途部に係止し、該接続線を係止した他方の搬器と接続線との係止状態を解除して係止位置を変更して再び係止させることにより、該第１の搬器又は第２の搬器が最も前記一方の主線又は他方の主線の一端側に位置したときにおける該第１の搬器と第２の搬器との距離を変化させながら伐倒木の移送を行うことを特徴とするものである。
【００１５】
この第３の発明に係る伐倒木の集材方法では、一端と他端との間に第１の（一方の）搬器（又は第２の搬器／他方の搬器）が介在した状態で、無端状に配置された接続線を用いている。そこで、上記第１の（一方の）搬器（又は第２の搬器／他方の搬器）を、前記第１のウインチ（又は第２のウインチ）を駆動させ、一方の主線（又は他方の主線）にガイドされながら走行・移動させると、上記第１の（一方の）搬器（又は第２の搬器／他方の搬器）とは異なる第２の（他方の）搬器も、該接続線の中途部に係止されていることから、該第１の（一方の）搬器（又は第２の搬器／他方の搬器）の移動方向とは逆方向に移動する。例えば、第１の搬器（一方の搬器）が最も一方の主線の一端側に位置する場合における第２の搬器（他方の搬器）が、該第１の搬器から（例えば）２０ｍ離れた位置となるように、該第２の搬器（他方の搬器）を接続線に係止させる。こうした状態において、第２のウインチを駆動させ、或いはその後に第１のウインチを駆動させると、該第１の搬器と第２の搬器とは（一方又は他方の搬器とは）２０ｍの距離に亘って往復動することとなる。すなわち、この方法によれば、一方及び他方の主線の一端側である集材場から約２０ｍ離間した位置で伐採された伐倒木を集材することができる。その後、上記第２の搬器（他方の搬器）の接続線に対する係止位置を他方の主線の他端側又は一端側に移動・変更させて再び該接続線に係止させると、最も一方の主線の一端側に位置した状態における該第１の搬器と第２の搬器との距離（一方又は他方の搬器との距離は）が長くなり又は短くなる。例えば、第１の搬器と第２の搬器との距離（一方又は他方の搬器との距離）を短くすれば、上記一方及び他方の主線の一端側（集材場）から２０ｍより更に長い距離に亘って第１及び第２の搬器（一方及び他方の搬器）がそれぞれ往復動することとなり、逆に第１の搬器と第２の搬器との距離（一方又は他方の搬器との距離）を長くすれば、上記一方及び他方の主線の一端側（集材場）から２０ｍより短い距離に亘って第１及び第２の搬器（一方又は他方の搬器）がそれぞれ往復動することとなる。通常は、集材場に近接した位置で伐採された伐倒木を集材し、その後徐々に集材場からの距離を伸ばしながら集材することから、最も一方の主線の一端側に位置した状態における該第１の搬器と第２の搬器（一方又は他方の搬器）との距離を短くした状態で該第２の（他方の）搬器（又は第１の搬器／一方の搬器）を接続線の中途部に係止させて伐倒木を移送し、その後徐々に該第１の搬器と第２の搬器との距離（一方又は他方の搬器との距離）を長くすることにより、一方及び他方の主線の一端側（集材場）から離れた位置で伐採された伐倒木を集材することが可能となる。
【００１６】
また、第４の発明（請求項４記載の発明）は、前記第３記載の発明を構成する前記一方又は他方の主線の長さ方向とは直交する方向に、第１の中間滑車と第２の中間滑車とを取り付け、上記第１の中間滑車には、前記第１のウインチを構成する第１のワイヤ又は前記第２のウインチを構成する第２のワイヤの何れか一方のワイヤの中途部を掛け渡し、上記第２の中間滑車には、上記第１のワイヤ又は第２のワイヤであって上記第１の中間滑車に掛け渡されたワイヤとは異なる他方のワイヤを掛け渡し、上記第１の中間滑車に掛け渡した一方のワイヤの先端を、この一方のワイヤの中途部が前記一方の主線及び他方の主線と交差した状態で該第１の中間滑車とは離間した位置に固定するとともに、この一方ワイヤには、第３の滑車を備えた第３の搬器を該一方のワイヤにガイドされながら走行可能な状態で配置し、上記第２の中間滑車に掛け渡された上記他方のワイヤの中途部を上記第３の滑車に掛け渡し、上記一方のワイヤの先端の近傍に、第３のウインチを固定するとともに、この第３のウインチから引き出された第３のワイヤの先端を上記第３の搬器に接続することにより、上記第１の中間滑車に掛け渡された中途部から先端までにおける一方のワイヤを第３の主線として利用しながら、この第３の主線にガイドされる上記第３の搬器と、上記他方のワイヤの先端に固定されたフックを利用して、上記一方及び他方の主線と直交する方向で伐採された伐倒木を該一方及び他方の主線側に移送し、その後に、上記第３の集材方法を行うことを特徴とするものである。
【００１７】
この第４の発明に係る伐倒木の集材方法では、例えば、前記第３の発明の構成要素である第１のウインチ（又は第２のウインチ）を構成する第１の（一方の）ワイヤ（又は第２のワイヤ／他方のワイヤ）の中途部を第１の中間滑車（又は第２の中間滑車）に掛け渡し、この第１の（一方の）ワイヤ（又は第２のワイヤ／他方のワイヤ）の先端を、その中途部が一方又は他方の主線と交差した状態で該第１の中間滑車（又は第２の中間滑車）とは離間した位置に固定するとともに、この第１の（一方の）ワイヤ（又は第２のワイヤ／他方のワイヤ）には、第３の滑車を備えた第３の搬器を走行可能な状態で配置し、上記第２の中間滑車に掛け渡された上記第２の（他方の）ワイヤ（又は第１のワイヤ／一方のワイヤ）の中途部を上記第３の滑車に掛け渡し、上記第１の（一方の）ワイヤ（又は第２のワイヤ／他方のワイヤ）の先端の近傍に、第３のウインチを固定するとともに、この第３のウインチから引き出された第３のワイヤの先端を上記第３の搬器に固定するものであるである。したがって、上記第１の（一方の）ワイヤ（又は第２のワイヤ／他方のワイヤ）の基端側（第１の中間滑車側）に上記第３の搬器が位置している状態において、上記第１のウインチ（又は第２のウインチ）をフリーの状態としながら、上記第３のウインチを駆動すると、上記第３の搬器は、第１の（一方の）ワイヤ（又は第２のワイヤ／他方のワイヤ）にガイドされながら第３のウインチ側に移動する。そして、このように所定の位置に移動した第３の搬器を構成する第３の滑車には、先端に第２のフック（又は第１のフック）が固定された第２の（他方の）ワイヤ（又は第１のワイヤ／一方のワイヤ）の中途部が掛け渡されていることから、この第２のフック（又は第１のフック）を伐倒木又は該伐倒木に巻回された巻線に係止し、その上で、上記第２のウインチ（又は第１のウインチ）を駆動する。このとき、上記第３のウインチがフリーの状態としておく。すると、上記第３の搬器は、上記第２の中間車側（又は第１の中間滑車側）、すなわち、一方又は他方の主線が張設されている方向に移動する。なお、こうした第３の搬器を用いて上記一方又は他方の主線とは直交する方向に離れた伐倒木を、該一方又は他方の主線側に移送する場合には、該一方又は他方の主線に近い位置で伐採された伐倒木から集材し、徐々に該一方又は他方の主線から離れた位置で伐採された伐倒木を集材することが好ましい。
【００１８】
また、特定の伐倒木又は該伐倒木に巻回された巻線に第２のフック（又は第１のフック）を係止させる場合、上記第２のウインチ（又は第１のウインチ）はフリーの状態にして行われることから、第３の搬器の直下に存在する伐倒木以外に、該第３の搬器の近傍で伐採された伐倒木も移送することができるが、該第２のウインチ（又は第１のウインチ）を構成する第２の（他方の）ワイヤ（又は第１のワイヤ／一方のワイヤ）の長さが許す範囲内において、該第２の（他方の）ワイヤ（又は第１のワイヤ／一方のワイヤ）を引き延ばし、上記第３の搬器から離れた位置に存在数する伐倒木を集材しても良い。しかし、このように第２のワイヤ（又は第１のワイヤ）を引き延ばし、上記第３の搬器から離れた位置に存在数する伐倒木まで作業者が山林を移動するのは極めて過酷である。そこで、上記第３の搬器の移動範囲の近傍に存在する伐倒木を上記一方又は他方の主線側に集材する作業が終了した場合には、上記第１及び第２の中間滑車の位置を、一方又は他方の主線の一端側又は他端側に移動させるとともに、それまで先端を固定していた第１の（一方の）ワイヤ（又は第２のワイヤ／他方のワイヤ）を外し、上記第１及び第２の中間滑車の移動方向と同じ方向に移動させて新たに固定し、また上記第３のウインチを新たに固定した上記一方のワイヤの先端近傍に配置して、再度上記第３の搬器等を利用して同様の移送・集材を行う。こうした集材作業が終了すると、次いで上記第３の発明に係る集材方法を行う。
【００１９】
したがって、上記第４の発明に係る伐倒木の集材方法によれば、第１のワイヤ又は第２のワイヤである一方のワイヤが張設された部位やその近傍において伐採された伐倒木を上記一方又は他方の主線側に容易に移送することができる。また、前述した通り、上記第１及び第２の中間滑車の位置を、一方又は他方の主線の一端側又は他端側に移動させるとともに、それまで先端を固定していた第１のワイヤ又は第２のワイヤである一方のワイヤを外し、上記第１及び第２の中間滑車の移動方向と同じ方向に移動させて新たに固定し、また上記第３のウインチを新たに固定した上記一方のワイヤの先端近傍に配置して、再度上記第３の搬器等を利用して同様の集材を行うことにより、第３の搬器から相当離れた場所にまで作業者が往復移動する必要性が無いことから、一層作業者の負担を軽減することが可能となる。
【００２０】
なお、上記第１の中間滑車と第２の中間滑車とは、それぞれ別体となされたものであっても良いが、それぞれの回転軸が同一軸芯となされた所謂ダブル滑車を利用しても良い。
【００２１】
また、第５の発明（請求項５記載の発明）は、前記第４の発明を構成する前記一方のワイヤであって該一方のワイヤの先端と前記第３の搬器との間の任意の位置に、第４の滑車と、掛け渡されたワイヤの取り外しが可能な第５の滑車と、をそれぞれ備えた第４の搬器を、該一方のワイヤに対して移動可能に支持させた状態で固定しておき、この第４の搬器とは離間した位置に、第３の中間滑車を固定し、前記第３のウインチを構成する第３のワイヤの先端には一方のフックと他方のフックとを設け、該第３のワイヤの中途部は、上記第４の滑車，上記第３の中間滑車及び上記第５の滑車にそれぞれ掛け渡すとともに上記一方のフックを前記第３の搬器に係止し、他方のフックを上記一方のワイヤの先端に固定された第２又は第１のフック又はその近傍に係止し、上記第３のウインチの駆動により、上記第３の搬器を上記一方のワイヤの長さ方向の任意の位置に移動させた後に、それまで上記第５の滑車に掛け渡されていた上記第３のワイヤを該第５の滑車から取り外すとともに、それまで第３の搬器に係止されていた上記一方のフックを該第３の搬器から取り外し、
次いで、上記第３のウインチを駆動させることにより、第３のワイヤの先端と上記他方のフックに係止された第２又は第１のワイヤである他方のワイヤの先端とを、上記第４の搬器と第３の中間滑車との間の任意に位置まで移動させ、該位置の近傍で伐採された伐倒木又は該伐倒木に巻回された巻線に係止し、次いで、上記第２のウインチ又は第１のウインチを駆動させることにより、該伐倒木を上記第４の搬器の近傍まで移動させた後に、上記第３のワイヤの中途部を上記第５の滑車に掛け渡し、その後該第２のウインチ又は第１のウインチを駆動させることにより、上記一方又は他方の主線側に伐倒木を移送し、その後に第３の発明に係る集材方法を行うことを特徴とするものである。
【００２２】
この第５の発明では、例えば、第３の搬器が前記第１又は第２の中間滑車の近傍に位置している状態において、第３のウインチを駆動させる（この場合には第２又は第１のウインチはフリーの状態としておく）ことにより、該第３の搬器は第４の搬器に接近するよう移動し、逆に、（第３のウインチをフリーの状態として）第１又は第２のウインチを駆動させることにより、第３の搬器は第４の搬器からは離れるように移動する。なお、こうした第３の搬器の動作は、前記第４の発明と同様である。そして、この第３の搬器を任意の位置に到達したとき、それまで上記第５の滑車に掛け渡されていた上記第３のワイヤを該第５の滑車から取り外すとともに、それまで第３の搬器に係止されていた上記一方のフックを該第３の搬器から取り外し、次いで、上記第３のウインチを駆動させることにより、第３のワイヤの先端と上記他方のフックに係止された第２又は第１のワイヤである他方のワイヤの先端とを、上記第４の搬器と第３の中間滑車との間の任意に位置まで移動させる。なお、このように第３のワイヤの先端と他方のワイヤの先端とを移動させる場合には、上記第３のウインチと第２又は第１のウインチはフリーの状態にしておく。そして、上記第２のワイヤ又は第１のワイヤの先端に固定された第２のフック又は第１のフックを伐倒木又は該伐倒木に巻回された巻線に係止する。そして、第３のウインチをフリーの状態としながら、上記第２又は第１のウインチを駆動させることにより、該伐倒木を上記第４の搬器の近傍まで移動させ、その後に、上記第３のワイヤの中途部を上記第５の滑車に掛け渡し、その後該第２のウインチ又は第１のウインチを駆動させることにより、上記一方又は他方の主線側に伐倒木を集材させる。そして、こうした集材方法が終了すると、先に第３の発明に係る集材方法を行う。
【００２３】
こうした集材方法ないし工程により、第４の搬器と第３の中間滑車との間やその近傍で伐採された伐倒木を容易に集材することができるが、さらに、こうした範囲における集材作業が終了した後に、上記第４の搬器の固定位置を変更するとともに、上記第３の中間滑車の固定位置も変更すれば、さらに集材範囲を広範なものとすることが可能となり、より集材作業の効率性を向上させることができる。
【００２４】
したがって、この第５の発明に係る伐倒木の集材方法によれば、先に説明した一方又は他方の主線の近傍や、第３の搬器の移動可能範囲に近接した範囲ばかりではなく、上記第４の搬器と第３の中間滑車との間やその近傍で伐採された伐倒木までもを、簡単且つ容易に集材することができ、従来の集材方法に比べて格段に集材効率を向上させることができ、ひいては、過酷な作業環境を改善することができ、国産の木材の競争力向上に十分寄与することができる。
【００２５】
なお、この第５の発明において、上記第３の中間滑車の固定位置は、必ずしも上記第４の搬器から先に説明した一方又は他方の主線の長さ方向と平行となる位置とする費用はなく、該一方又は他方の主線の長さ方向と傾斜する方向としても良い。また、上記一方又は他方の主線の他端（前記第１のウインチや第２のウインチが固定された側とは反対側）よりもさらに前方に、上記第３の中間滑車を固定しても良い。第３の中間滑車をこのような位置に固定することにより、更に広範囲に亘って伐倒木を集材することができる。
【発明の効果】
【００２６】
上記第１の発明（請求項１記載の発明）に係る伐倒木の集材方法では、第１のウインチと第２のウインチとを交互に駆動させることにより、上記一方の主線によりガイドされる第１の搬器と、上記他方の主線によりガイドされる第２の搬器とを交互に往復動させることにより、上記一方及び他方の主線の他端側で上記第１又は第２のフックに係合させた伐倒木を該一方及び他方の主線の一端側ないしは上記第１又は第２のウインチ側に交互に集材するものであることから、この第１の発明に係る伐倒木の集材方法によれば、単一の搬器を往復動させることにより行われていた従来の集材方法に比べて極めて効率性の高い集材作業（２倍の作業量）を実現することができる。
【００２７】
また、第２の発明（請求項２記載の発明）では、接続線の一端と前記第１の搬器との間又は該接続線の他端と前記第２の搬器との間の少なくとも何れか一方に、前述した調整線材を配置し、上記調整線材の数を適宜増減するなどして、該第１の搬器又は第２の搬器が最も前記一方の主線又は他方の主線の一端側に位置したときにおける該第１の搬器と第２の搬器との距離を変化させながら集材を行うことから、この第２の発明に係る伐倒木の集材方法によれば、一方又は他方の主線の一端側から他端側に存在する伐倒木を順番に集材することができ、広範囲に亘って伐採された伐倒木を簡単且つ効率良く集材することが可能となる。
【００２８】
また、第３の発明（請求項３記載の発明）では、接続線の両端が固定された搬器とは異なる搬器と接続線との係止状態を解除して係止位置を変更して再び係止させることにより、該第１の搬器又は第２の搬器が最も前記一方の主線又は他方の主線の一端側に位置したときにおける該第１の搬器と第２の搬器との距離を変化させながら集材を行うものであることから、この第３の発明に係る伐倒木の集材方法による場合であっても、上記第２の発明と同じように、一方又は他方の主線の一端側から他端側に存在する伐倒木を順番に集材することができ、広範囲に亘って伐採された伐倒木を簡単且つ効率良く集材することが可能となる。
【００２９】
また、第４の発明（請求項４記載の発明）では、第１の中間滑車に掛け渡された中途部から先端までにおける一方のワイヤを第３の主線として利用しながら、この第３の主線にガイドされる上記第３の搬器と、上記他方のワイヤの先端に固定されたフックを利用して、上記一方及び他方の主線と直交する方向で伐採された伐倒木を該一方及び他方の主線側に集材し、その後に、請求項３記載の集材方法を行うものであることから、この第４の発明に係る伐倒木の集材方法によれば、上記第１、第２又は第３の発明のように、一方又は他方の主線の近傍に存在する伐倒木以外に、該一方又は他方の主線の長さ方向と直交する方向に存在する伐倒木をも簡単且つ効率良く集材することができる。また、上記第１及び第２の中間滑車の位置を、一方又は他方の主線の一端側又は他端側に移動させるとともに、それまで先端を固定していた第１のワイヤ（又は第２のワイヤ）である一方のワイヤを外し、上記第１及び第２の中間滑車の移動方向と同じ方向に移動させて新たに固定し、また上記第３のウインチを新たに固定した上記一方のワイヤの先端近傍に配置して、再度上記第３の搬器等を利用して同様の集材を行うことにより、より広範囲に亘って存在する伐倒木を簡単且つ効率良く集材することが可能となる。
【００３０】
また、第５の発明（請求項５記載の発明）に係る伐倒木の集材方法によれば、先に説明した一方又は他方の主線の近傍や、第３の搬器の移動可能範囲に近接した範囲ばかりではなく、上記第４の搬器と第３の中間滑車との間やその近傍で伐採された伐倒木までもを、簡単且つ容易に集材することができ、従来の集材方法に比べて格段に集材効率を向上させることができ、ひいては、過酷な作業環境を改善することができ、国産の木材の競争力向上に十分寄与することができる。また、この第５の発明に係る伐倒木の集材方法では、第４の搬器と第３の中間滑車との間やその近傍で伐採された伐倒木を容易に集材することができるが、さらに、こうした範囲における集材作業が終了した後に、上記第４の搬器の固定位置を変更するとともに、上記第３の中間滑車の固定位置も変更すれば、さらに集材範囲を広範なものとすることが可能となり、より集材作業の効率性を向上させることができる。
【図面の簡単な説明】
【００３１】
【図１】本発明の第１の実施の形態に係る伐倒木の集材方法を実施するためにセットされた各主線等を模式的に示す斜視図である。
【図２】図１に示す第１（及び第２）の搬器の一例を示す斜視図である。
【図３】図１に示す各主線等を模式的に示す平面図である。
【図４】図３に示す状態から第１及び第２の搬器が移動した後の状態を模式的に示す平面図である。
【図５】本発明の第２の実施の形態に係る伐倒木の集材方法を実施するためにセットされた各主線等を模式的に示す平面図である。
【図６】図５に示す状態から第１及び第２の搬器が移動した後の状態を模式的に示す平面図である。
【図７】調整線材の一例を示す側面図である。
【図８】調整線材の他の例を示す側面図である。
【図９】本発明の第３の実施の形態に係る伐倒木の集材方法を実施するためにセットされた各主線等を模式的に示す平面図である。
【図１０】図９に示す状態から第１及び第２の搬器が移動した後の状態を模式的に示す平面図である。
【図１１】本発明の第４の実施の形態に係る伐倒木の集材方法を実施するためにセットされた各主線等を模式的に示す平面図である。
【図１２】本発明の第５の実施の形態に係る伐倒木の集材方法を実施するためにセットされた第３の搬器や第４の搬器等を模式的に示す平面図である。
【図１３】図１２に示す状態から第３のウインチを構成する第３のワイヤを第５の滑車から取り外した状態を模式的に示す平面図である。
【図１４】第５の滑車の取付状態を示す模式図である。
【発明を実施するための形態】
【００３２】
以下、本発明を実施するための最良の形態に係る伐倒木の集材方法について、図面を参照しながら詳細に説明する。先ず、第１の実施の形態に係る伐倒木の集材方法について詳細に説明する。
【００３３】
この第１の実施の形態に係る伐倒木の集材方法は、図１に示すように、一方の主線１や他方の主線２を張設・架設ないし架空（以下、張設という。）させる。上記一方の主線１及び他方の主線２は、何れもワイヤロープからなるものであり、それぞれ両端は伐採されていない立木Ｔ１，Ｔ２，Ｔ３，Ｔ４の中途部に巻回した状態で固定されている。なお、これら一方及び他方の主線１，２の両端が固定されている各Ｔ１，Ｔ２，Ｔ３，Ｔ４には、該一方及び他方の主線１，２の安定した張設状態を維持するために、各立木Ｔ１，Ｔ２，Ｔ３，Ｔ４とこれらの近傍の立木Ｔ５，Ｔ６，Ｔ７，Ｔ８，Ｔ９，Ｔ１０との間は、それぞれ反力用の補助ワイヤ３・・・１０が張設されている。なお、本発明においては、上記一方及び他方の主線は、こうした立木Ｔ１，Ｔ２，Ｔ３，Ｔ４に固定して張設しなければならないものではなく、図示しない重機や人工的なポール等に固定しても良い。
【００３４】
また、この実施の形態では、上記一方の主線１と他方の主線２とは、山林の傾斜方向に沿って張設したものであるとともに、それぞれ互いに平行に張設したものであるが、該一方の主線１に対して他方の主線２が傾斜したものであっても良い。そして、上記一方の主線１には、第１の搬器１１が、該一方の主線１の長さ方向にガイドされながら走行可能に支持されている。また、上記他方の主線２には、第２の搬器１２が、該他方の主線２の長さ方向にガイドされながら走行可能に支持（配置）されている。これら第１及び第２の搬器１１，１２は、何れも同一の形状及び構造からなるものであって、図２に示すように、
長方形状に成形された搬器本体１３（１４）と、この搬器本体１３（１４）の上部の前後にそれぞれ配置され回転自在となされた一方及び他方の走行用滑車１５（１６），１７（１８）と、上記搬器本体１３（１４）の下方に配置されカバー１９（２０）の内側に回転自在に配置された第１の滑車２１（２２）と、を備えている。上記一方及び他方の走行用滑車１５（１６），１７（１８）は、それぞれ下端が上記搬器本体１３（１４）に溶接された２つの支持片２３，２４（２５，２６），２７，２８（２９，３０），に固定された回動軸３１（３２），３３（３４）に回動自在に支持されている。また、上記カバー１９（２０）は、上記搬器本体１３（１４）の下面の上端が溶接された２つのアーム３５，３６（３７，３８）の下端側に両端が固定された回動軸３９（４０）に回動自在に支持されている。
【００３５】
また、上記搬器本体１３（１４）の一端には、一方の係止具４１（４２）が該搬器本体１３（１４）に対して着脱可能に取り付けられており、他端には他方の係止具４３（４４）が該搬器本体１３（１４）に対して着脱可能に取り付けられている。なお、上記一方及び他方の係止具４１（４２），４３（４４）は何れもシャックルである。また、上記搬器本体１３（１４）の下面であって上記２つのアーム３５，３６（３７，３８）の溶接位置を挟んだ両側には、後述する接続線の中途部を挟むことにより該接続線にこの第１（第２）の搬器１１（１２）を固定する挟持部材４５（４６），４７（４８）が取り付けられている。これらの挟持部材４５（４６），４７（４８）は、上記搬器本体１３（１４）の下面に溶接され両端側周面にはネジが螺刻されたたＵ字状のボルト部材４９（５０），５１（５２）と、これらのボルト部材４９（５０），５１（５２）が挿通されるとともに該ボルト部材４９（５０），５１（５２）と協同して上記接続線の中途部を挟持する挟持体５３（５４），５５（５６）と、上記ボルト部材４９（５０），５１（５２）の両端側に螺着される２つのナット５７，５８とから構成されている。
【００３６】
そして、この第１の実施の形態に係る伐倒木の集材方法においては、図１及び図２に示すように、上記一方の主線１の一端側近傍には、第１のウインチ６１が固定され、この第１のウインチ６１を構成する第１のワイヤ６１ａの中途部は、上記第１の搬器１１を構成する第１の滑車２１に掛け渡されており、該第１のワイヤ６１ａの先端には、第１のフック６１ｂが固定されている。また、上記他方の主線２の一端側近傍には、第２のウインチ６２が固定され、この第２のウインチ６２を構成する第２のワイヤ６２ａの中途部は、上記第２の搬器１２を構成する第２の滑車２２に掛け渡されており、該第２のワイヤ６２ａの先端には、第２のフック６２ｂが固定されている。なお、上記第１のワイヤ６１ａと第２のワイヤ６２ａの先端側中途部には、それぞれ第１の滑車２１又は第２の滑車２２に掛け渡された該第１のワイヤ６１ａ又は第２のワイヤ６２ａが脱落することを防止するためのストッパー６１ｃ（６２ｃ）が取り付けられている。
【００３７】
また、この実施の形態に係る伐倒木の集材方法では、上記第１の搬器１１と第２の搬器１２とは、接続線６３により接続されている。この接続線６３は、ワイヤロープからなるものであって、一端は一方の接続線側フック６３ａが固定され、他端には、他方の接続線側フック６３ｂが固定されている。そして、上記一方の接続線側フック６３ａは、上記第１の搬器１１を構成する他方の係止具４３に係止されており、上記他方の接続線側フック６３ｂは、上記第２の搬器１２を構成する他方の係止具４４に係止されている。また、この接続線６３の中途部は、第１の接続線用滑車６５と第２の接続線用滑車６６とに掛け渡されている。上記第１の接続線用滑車６５は、上記一方の主線１の他端側に該一方の主線１が固定されている立木Ｔ２に線材（符号は省略する。）を介して取り付けられており、また、第２の接続線用滑車６６は、上記他方の主線２の他端側に該他方の主線２が固定されている立木Ｔ４に線材（符号は省略する。）を介して取り付けられている（図１参照）。そして、上記接続線６３は、一端側から上記第１の接続線用滑車６５に掛け渡された部位までは、上記一方の主線１と平行とされ、他端側から上記第２の接続線用滑車６６に掛け渡された部位までは、上記他方の主線２と平行とされている。なお、この第１の実施の形態では、上記接続線６３の長さは、一方の主線１と他方の主線２との長さに、上記第１の接続線用滑車６５と第２の接続線用滑車６６までの長さと略等しい長さとされている。
【００３８】
そこで、以下、上述した構成にセットされた状態で伐倒木Ｗを集材する方法を説明する。先ず、上記第１のウインチ６１を駆動するとともに第２のウインチ６２をフリーの状態として、上記第１の搬器１１が、図１に示すように、一方の主線１の一端側（集材場側）に位置するようにすると、上述したように、接続線６３の長さが、一方の主線１と他方の主線２との長さに、上記第１の接続線用滑車６５と第２の接続線用滑車６６までの長さと略等しい長さとされていることから、第２の搬器１２は、上記他方の主線２の他端側に位置することとなる。そこで、この第２の搬器１２が他方の主線２の他端側に位置した状態において、該第２の搬器１２の近傍で伐採された伐倒木Ｗに巻回された線材（符号は省略する。）に、上記第２のフック６２ｂを係止させる。なお、第２のウインチ６２がフリーの状態である場合には、上記第２のフック６２ｂを作業者が把持して引き出せば、第２のワイヤ６２ａは引き延ばされることから、作業者は上記第２の搬器１２の近傍又は第２のワイヤ６２ａの長さに応じて第２のフック６２ｂが届く範囲に存在する伐倒木Ｗに係止することができる。そして、こうした作業が終了すると、次いで、（第１のウインチ６１はフリーの状態として）上記第２のウインチ６２を駆動すると、伐倒木Ｗは徐々に第２の搬器１２側に移動し、やがて上記第２のストッパー６２ｃがカバー２０に当接し、該第２の搬器１２は他方の主線２にガイドされながら該第２の主線２の一端側に走行・移動し、図４に示す位置に到着したとき、上記第２のウインチ６２の駆動を停止させ、上記第２のフック６２ｂに係止された伐倒木Ｗを外す。このように、第２の搬器１２が他方の主線２の一端側に到達したとき、上記第１の搬器１１は、図４に示すように、上記一方の主線１の他端側に位置する。したがって、作業者は上記要領と同じ要領で、上記第１のフック６１ｂに近傍に存在する伐倒木Ｗに係止する作業を行う。
【００３９】
このように、上記第１のウインチ６１と第２のウインチ６２とを交互に駆動させ、上記第１の搬器１１と第２の搬器１２とを交互に往復動させることにより、一方及び他方の主線１，２の一端側が固定された集材場では、交互に到着する第１又は第２の搬器１１、１２により移動してくる伐倒木Ｗを第１又は第２のフック６１ｂ，６２ｂから取り外す作業を行い、他方、一方及び他方の主線１，２の他端側においては、それらの近傍で伐採された伐倒木Ｗに上記第１又は第２のフック６１ｂ，６２ｂに係止する作業を行うことができるので、単一の搬器を使用していた従来の伐倒木Ｗの集材方法に比べて作業効率を２倍に増加させることが可能となる。
【００４０】
次に、本発明の第２の実施の形態に係る伐倒木の集材方法について詳細に説明する。この第２の実施の形態に係る伐倒木の集材方法は、図５及び図６に示すように、上述した集材方法で説明した接続線６３に複数の調整線材７０を用いて集材を行うものである。この調整線材７０は、図７に示すように、ワイヤ等のからなる線材本体７０ａと、この線材本体７０ａの一端に固定された係止金具７０ｂと、該線材本体７０ａの他端に固定された係止リング７０ｃとから構成されている。そして、この第２の実施の形態に係る伐倒木の集材方法は、図５に示すように、上記係止金具７０ｂと係止リング７０ｃとを用いて複数の調整線材７０を連結させ、この連結された調整線材群（符号は省略する。）を、上記第１の搬器１１と接続線６３の一端との間に連結させるとともに、上記第２の搬器１２と接続線６３の他端との間に連結させて行う。すなわち、上記第１の搬器１１側では、一端側に連結された調整線材７０を構成する係止金具７０ｂを上記他方の係止具４３に係止し、他端に連結された調整線材７０を構成する係止リング７０ｃを上記一方の接続線側フック６３ａに係止する。また、第２の搬器１２側では、他端側に連結された調整線材７０を構成する係止金具７０ｂを上記第２の搬器１２を構成する一方の係止具４４に係止し、一端に連結された調整線材７０を構成する係止リング７０ｃを上記他方の接続線側フック６３ｂに係止する。なお、上記調整線材７０を互いに連結して用いる際、該調整線材７０の数は、上記第１又は第２の搬器１１，１２の往復動距離ないしは集材作業の進行の程度に応じて適宜選択されるものであり、調整線材７０の数を増加させれば、該調整線材群の長さと接続線の長さとの和である全体の長さが長くなることから、第１及び第２の搬器１１，１２の往復移動距離は短くなり、逆に調整線材群の長さを短くすれば、第１及び第２の搬器１１，１２の往復移動距離は短くなる。通常、山林で伐採された多数の伐倒木Ｗを集材場に集材する際は、該集材場に近い位置に存在する伐倒木Ｗから順番に集材（移送）することから、作業当初は、比較的多くの調整線材７０を使用し、徐々に集材・移送作業が進むにつれて、適宜必要な数の上記調整線材７０を取り外して作業を行う。
【００４１】
例えば、図５に示すように、第１の搬器１１側及び第２の搬器１２側にそれぞれ３個の調整線材７０を配置した場合には、第１の搬器１１が最も一方の主線１の一端側に位置するとき、第２の搬器１２は、図３に示す位置よりも他方の主線２の一端側に近い位置となる。そして、この図５に示す状態から、（第１のウインチ６１をフリーの状態とし）第２のウインチ６２を駆動させることにより、図６に示すように、他方の主線２の他端側に移動する。また、図６に示す状態から、（第２のウインチ６２をフリーの状態とし）第１のウインチ６１を駆動させることにより、第１及び第２の搬器１１，１２は、再び図５に示す状態に戻る。すなわち、この第２の実施の形態に係る伐倒木の集材方法によれば、上記調整線材７０を適宜の個数により直線状に連結させた上で、上記第１及び第２のウインチ６１，６２を交互に駆動させることにより、一方及び他方の主線１，２の中間地点に存在する伐倒木Ｗを集材場に集材・移送することが可能となり、更に、上記作業の進行に伴い、上記調整線材７０の数を増加（又は減少）させ、上記第１及び第２の搬器１１，１２の往復動距離を変更して集材を行うことにより、一方及び他方の主線１，２の長さの範囲内の伐倒木Ｗを簡単且つ迅速に集材することができる。
【００４２】
なお、上記実施の形態では、第１の搬器１１と接続線６３の一端との間、及び第２の搬器１２と接続線６３の他端との間の双方に、複数の調整線材７０を配置・連結させて伐倒木Ｗを集材する方法を説明したが、上記調整線材７０は、第１の搬器１１側又は第２の搬器側の何れか一方に配置・連結して集材しても良い。
【００４３】
また、上述した伐倒木の集材方法では、複数個の調整線材７０を互いに連結して使用するものであるが、本発明を構成する調整線材は、単一の調整線材７１を使用しても良い。この調整線材７１は、図８に示すように、１本のワイヤ等からなる線材７２の一端側と他端側とを接触させるとともに、挟持金具７３を使用してそれらを挟持・締結することによりループ部７２ａを形成し、該ループ部７２ａが形成された部位にフック７４の基端に形成されたリング部７４ａ内に挿通されたものである。上記挟持金具７３は、Ｕ字状のボルト部材７３ａと、このボルト部材７３ａが挿通されるとともに該ボルト部材７３ａと協同して上記線材７２の中途部を挟持する挟持体７３ｂと、上記ボルト部材７３ａの両端側に螺着される２つのナット７３ｃとから構成されている。したがって、上記ループ部７２ａの長さは、上記挟持金具７３による挟持位置を変えることにより変更することができる。そして、上記フック７４を上記第１の搬器１１を構成する他方の係止具４３又は第２の搬器１２を構成する他方の係止具４４に係止させるとともに、上記ループ部７２ａを接続線６３の一端に固定された一方の接続線側フック６３ａ又は他方の接続線側フック６３ｂに係止させることにより、第１の搬器１１から第２の搬器１２までの距離を変更することができ、先に説明したように、複数の調整線材７０を使用した場合と同じように、一方及び他方の主線１，２の長さの範囲内の伐倒木Ｗを簡単且つ迅速に集材することができる。
【００４４】
次に、本発明の第３の実施の形態に係る伐倒木の集材方法について詳細に説明する。この集材方法は、図９に示すように、先に説明した接続線６３を長尺なものとし、該接続線６３の一端に固定された一方の接続線側フック６３ａを上記第１の搬器１１を構成する他方の係止具４３に係止させ、該接続線６３の他端に固定された他方の接続線側フック６３ｂを一方の係止具４１に係止させ、間に上記一方の搬器１１を介在させて該接続線６３をループ状に配線する。そして、この接続線６３の中途部は、上記第１及び第２の接続線用滑車６５，６６に加えて、第３及び第４の接続線用滑車７７，７８に掛け渡す。上記第３の接続線用滑車７７は、上記他方の主線２の一端を固定した立木Ｔ３に線材（符号は省略する。）を介して支持させ、また、上記第４の接続線用滑車７８は、上記一方の主線１の一端を固定した立木Ｔ１に線材（符号は省略する。）を介して支持させている。したがって、間に上記第１の搬器１１が介在したこの第４の接続線用滑車７８から第１の接続線用滑車６５までの接続線６３は、直線状で且つ上記一方の主線１と平行に張設され、第３の接続線用滑車７７から第２の接続線用滑車６６までの接続線６３は、他方の主線２と平行に張設された状態となる。そして、上記第３の接続線用滑車７７から第２の接続線用滑車６６までの接続線６３の中途部には、上記第２の搬器１２が上記挟持部材４６，４８により係止・挟持されている。
【００４５】
したがって、図９に示す状態において、（上記第１のウインチ６１をフリーの状態とし）上記第２のウインチ６２を駆動させると、上記接続線６３は第１の搬器１１及び第２の搬器１２と共に、図９中、時計周り方向に移動し、図１０に示すように、第１の搬器１１は、一方の主線１の他端側に走行・移動し、第２の搬器１２は、他方の主線２の一端側に走行・移動する。なお、こうした動作は、前記第１の実施の形態や第２の実施の形態においてそれぞれ説明した動作と同様であることから説明を省略する。
【００４６】
そして、図９に示す状態において、第２の搬器１２を構成する上記挟持部材４６，４８を構成するナット５７，５７，５８，５８（図２参照）を螺退させ、ボルト部材５０，５２と挟持体５４，５６との挟持状態を解除するとともに、該第２の搬器１２を他方の主線２の一端側（立木Ｔ３側又は第２のウインチ６２側）に移動させ、その上で、再び上記ナット５７，５７，５８，５８を螺進させることによりボルト部材５０，５２と挟持体５４，５６とにより接続線６３を挟持させ固定させる。こうした方法により、第２の搬器１２を移動させることにより、該第２の範囲１２と第１の搬器１１とは、何れも該第２の搬器１２から他方の主線１２の一端までの距離に亘って往復動できることとなる。すなわち、上述した方法・工程により、上記第２の搬器１２を（第３の接続専用滑車７７から第２の接続線用滑車６６までを走行する）接続線６３に対する係止位置ないし固定位置を変更することにより、前述した第２の実施の形態で説明した複数の調整線材７０や単一の調整線材７１を使用して行った伐倒木の集材方法と同じ作用効果を実現することができる。特に、この第３の実施の形態に係る伐倒木の集材方法によれば、上記調整線材７０，７１を使用する必要性がないので、より簡便に第１及び第２の搬器１１，１２の往復動距離を変更することが可能となる。
【００４７】
次に、第４の実施の形態に係る伐倒木の集材方法について、図１１を用いて詳細に説明すする。この第４の実施の形態に係る伐倒木の集材方法は、図９及び図１０に図示した構成を基本として、さらに、以下に説明するダブル滑車８０と、第３の搬器８１と、第３のウインチ８２を使用して集材する方法である。上記ダブル滑車８０は、一方及び他方の主線１，２の長さ方向に対して直交する方向に配置（固定）されてなるものである。そして、このダブル滑車８０は、上記一方及び他方の主線１，２の張設位置よりもやや下方に固定したものであり、第１の中間滑車８０ａと第２の中間滑車８０ｂとが何れも回転自在に設けられてなるものである。また、上記第１の中間滑車８０ａには、上記第１の滑車２１に掛け渡された第１のワイヤ６１ａを引き延ばし、その中途部が掛け渡す。そして、この第１のワイヤ６１ａは、上記一方及び他方の主線１，２と交差させ、先端は立木Ｔ１２に固定する。そして、上記ダブル滑車８０を構成する第１の中間滑車８０ａから立木Ｔ１２までに張設された部位（本発明を構成する一方のワイヤ）を主線として利用する。また、この主線として利用する第１のワイヤ６１ａの先端が固定された上記立木Ｔ１２の近傍には、上記第３のウインチ８２を設置・固定する。この第３のワイヤ８２を構成する第３のワイヤ８２ａの先端には、第３のフック８２ｂが固定されている。
【００４８】
そして、上記主線として利用する第１のワイヤ（本発明を構成する一方のワイヤ）６１ａには、第３の搬器８１が該第１のワイヤ６１ａにガイドされながら走行可能に支持されている。この第３の搬器８１は、上記第１及び第２の搬器１１，１２と同様の構成からなるものであって、搬器本体８４，一方及び他方の走行用滑車８５，８６，第３の滑車８９，一方及び他方の係止具８７，８８等を備えている。そして、上記第３のウインチ８２を構成する第３のフック８２ｂは、上記第３の搬器８１を構成する他方の係止具８８に係止する。また、上記第２のウインチ６２を構成する第２のワイヤ６２ａを、図９又は図１０に示した状態から更に引き出し、上記ダブル滑車８０を構成する第２の中間滑車８０ｂに掛け渡し、その後に第３の搬器８３を構成する第３の滑車８９に掛け渡す。
【００４９】
そして、（第２のウインチ６２をフリーの状態としながら）上記第３のウインチ８２を駆動させ、上記第３の搬器８３を上記ダブル滑車８０の固定位置から任意の位置に移動させ、次いで、第２のワイヤ６２ａを引き出して上記第２のフック６２ｂにより近傍の伐倒木Ｗに係止させる。この状態において、（第３のウインチ８２をフリーの状態とし）上記第２のウインチ６２を駆動させると、引き出された第２のフック６２ｂは、係止された伐倒木Ｗと共に第３の搬器８３側に引き寄せられやがてストッパー６２ｃがケース８９ａに当接すると、該第３の搬器８３は主線として使用している第１のワイヤ６１ａにガイドされながら徐々に他方の主線２や一方の主線１の下方に到達する。この状態で第２のウインチ６２の駆動を停止し、第２のフック６２ｂから伐倒木Ｗを取り外す。こうした作業が終了すると、次いで、上記第３のウインチ８２を駆動させ、所定の位置に第３の搬器８３を走行・移動させる。すなわち、上記第３のウインチ８２と第２のウインチ６２とを交互に駆動させながら、上記第３の搬器８３を主線として機能する第１のワイヤ６１ａに沿って上記ダブル滑車８０と立木Ｔ１２との間を往復動させることにより、一方及び他方の主線１，２とは直交する方向に存在する伐倒木Ｗを該一方及び他方の主線１，２側に集材する。そして、こうした集材作業が終了すると、先に図９及び図１０を用いて説明した方法を用いて、一方及び他方の主線１，２の一端側に集材する。
【００５０】
したがって、上述した伐倒木の集材方法によれば、図９や図１０を用いて説明した一方及び他方の主線１，２その他の部材等を移動させ、新たに組み立てることなく、そのままの状態で利用することにより、該一方及び他方の主線１，２とは直交する方向で伐採された伐倒木Ｗを集材することができる。
【００５１】
なお、上記ダブル滑車８０の固定位置から第１のワイヤ６１ａの先端の固定位置（立木Ｔ１２の位置）までに存在する伐倒木Ｗの集材が終了した場合には、次いで、上記ダブル滑車８０の固定位置を一方及び他方の主線１，２の一端側（又は他端側）に移動させて再び固定するとともに、第１のワイヤ６１ａの先端を固定する位置も同じ方向に移動させて固定し、その上で、上記方法と同じ方法・要領で集材することも可能である。なお、上述した第４の実施の形態に係る集材方法では、図１１において、ダブル滑車８０を一方の主線１側に固定した例を示して説明したが、言うまでもなく、該ダブル滑車８０を一方及び他方の主線１，２を挟んで逆方向に配置・固定して行うものであっても良い。因みに、こうした方法を採用する場合には、上記第１の中間滑車８０ａには、第２のワイヤ６２ａを掛け渡すとともに、その先端を固定して主線として利用し、また、第２の中間滑車８０ｂには、第１のワイヤ６１ａを掛け渡すとともに、その先端側を上記第３の滑車８９に掛け渡す。
【００５２】
次に、第５の実施の形態に係る伐倒木の集材方法について、図１２及び図１３を用いて詳細に説明する。この第５の実施の形態に係る伐倒木の集材方法は、図１１を用いて説明した伐倒木の集材方法を基本に、更に、第４の搬器９０と、第３の中間滑車９１とを利用して行うものである。上記第４の搬器９０は、搬器本体９２と、上記主線として利用している第１のワイヤ６１ａ（本発明を構成する一方のワイヤ）に支持され該第１のワイヤ６１ａにガイドされる一方及び他方の走行用滑車９３，９４と、上記搬器本体９２の下方に配置された第４の滑車９５及び第５の滑車９６とを備えてなるものである。上記一方及び他方の走行用滑車９３，９４は、それぞれ支持アーム９３ａ，９４ａにより回転自在に支持されてなるものであり、第４の滑車９５も支持アーム９５ａに回転自在に支持されている。なお、上記第５の滑車９６は、図１４に示すように、上方が解放されたケース９７により回転自在に支持されており、後述するように、この第５の滑車９６に掛け渡された第３のワイヤ８２ａを該第５の滑車９６から取り外すことが可能とされている。また、上記支持アーム９３ａの先端と上記支持アーム９４ａの先端とは水平杆９８により接続されている。
【００５３】
また、上記第３の中間滑車９１は、後述するように、上記第４の搬器９０が固定された位置から前記一方又は他方の主線１，２の長さ方向に離間した位置に立木Ｔ１３に線材（符号は省略する。）を介して支持・固定されてなるものである。そして、この実施の形態に係る伐倒木の集材方法では、先に説明した第３のウインチ８２を構成する第３のワイヤ８２ａを上記第４の滑車９５に掛け渡し、次いで、上記第３の中間滑車９１に掛け渡し、さらに上記第５の滑車９６に掛け渡す。なお、この第３のワイヤ８２ａの先端には、先に説明した第３のフック８２ｂ以外に第４のフック８２ｃを形成しておく。一方、上記第２のフック６２ｂの近傍には、第３のフック８２ｂが係止されるリング６２ｄを固定し又は内嵌挿させておく。そして、上記第３のフック８２ｂを上記リング６２ｄに係止し、上記第４のフック８２ｃは、上記第３の搬器８３を構成する他方の係止具８８に係止する。
【００５４】
なお、上記第４の搬器９０は、上記主線として利用している第１のワイヤ６１ａの任意に位置にて固定し、該第１のワイヤ６１ａに沿って移動しないようにしておく。この第４の搬器９０の固定方法は、例えば、近傍の立木Ｔ１４，Ｔ１５を利用して線材（符号は省略する。）を上記水平杆９８に接続させる等により固定すれば良い。また、上記第３の中間滑車９１の固定位置は、上記第４の搬器９０の固定位置から、例えば、上述した一方又は他方の主線１，２の長さ方法に離間した位置とすることも可能であり、或いは、該一方又は他方の主線１，２の長さ方法とは傾斜位置に固定しても良い。
【００５５】
そして、例えば、図１２に示した状態に上記第４の搬器９０と第３の中間滑車９１とを固定・設置した場合において、先ず、上記第３のウインチ８２を駆動させ、上記第３の搬器８１を該第４の搬器９０側に移動させる。このとき、上記第２のウインチ６２はフリーの状態としておく。そして、適当な位置まで第３の搬器８１を移動させると、次いで、それまで上記第５の滑車９６に掛け渡されていた第３のワイヤ８２ａを該第５の滑車９６から取り外すとともに、それまで第３の搬器８１を構成する他方の係止具８８に係止されていた第４のフック８２ｃを該他方の係止具８８から取り外す。この結果、第３のワイヤ８２ａと第２のワイヤ６２ａとが連結された状態で作業者は、それぞれを該第３のウインチ８２及び第２のウインチ６２から引き延ばすことができ、近傍の伐倒木Ｗに対して、上記第２のフック６２ｂを係止させることができる。そして、このように、伐倒木Ｗに対して、上記第２のフック６２ｂを係止させると、次いで、（第３のウインチ８２をそのままフリーの状態とし）上記第２のウインチ６２を駆動させ少し第２のワイヤ６２ａを巻き取り、その上で、該第２のワイヤ６２ａを再び上記第５の滑車９６に掛け渡すか、或いは、第２のウインチ６２を全く駆動させることなく、第２のワイヤ６２ａの中途部を再び上記第５の滑車９６に掛け渡し、その上で、第２のウインチ６２を駆動する。すると、上記伐倒木Ｗと共に第２のフック６２ｂが第３の滑車８９に接近し、該第２のフック６２ｂの近傍に固定されたストッパー６２ｃがケース８９ａに当接すると、第３の搬器８１は、主線として利用している第１のワイヤ６１ａに沿って、上記第４の搬器９０から徐々に離間し、図１１に示す一方及び他方の主線１，２側に移動する。
【００５６】
そして、上記第４の搬器９０の固定位置から第３の中間滑車９１までの間やその近傍に存在する伐倒木Ｗを上記一方及び他方の主線１，２側に移動する作業が終了すると、次いで、上記第４の搬器９０の固定位置と第３の中間滑車９１の固定位置を、例えば、第１のワイヤ６１ａの先端側又は基端側（一方及び他方の主線１，２側）に移動させ再び固定して同様の作業を行う。そして、上記方法により、一方及び他方の主線１，２の近傍又は下方に多くの伐倒木Ｗを移送する作業が終了すると、次いで、先に第３の実施の形態として説明した方法により、これらの伐倒木Ｗを一方及び他方の主線１，２の一端側（集材場）
に集材する。
【００５７】
したがって、上述した第５の実施の形態に係る伐倒木の集材方法を、前記第３の実施の形態に係る伐倒木の集材方法と比較すれば、この集材方法を採用することにより、作業者は、第２のフック６２ｂを把持しながら第３の搬器８１から相当離れた位置と該第３の搬器８１との間を繰り返し往復する必要は無い。また、この集材方法によれば、図１１に示すダブル滑車８０の固定位置を、一方及び他方の主線１，２の他端側とすることにより、該一方及び他方の主線１，２の他端の延長線側で伐採された伐倒木Ｗを集材することも可能となる。
【００５８】
また、この第５の実施の形態に係る伐倒木の集材方法を採用する場合には、図１０を用いて説明した集材方法を行い、予め一方及び他方の主線１，２の下方やその近傍に存在する伐倒木を集材し、その後に、図１１に示すダブル滑車８０を一方及び他方の主線１，２に比較的近い位置に固定し、第２のワイヤ６２ａの先端は、該一方及び他方の主線１，２と直交する方向に固定し、上述した第４の実施の形態に係る伐倒木の集材方法を採用し、こうした集材方法が終了した後に、再び第３の実施の形態に係る集材方法を行うという順番を採用することが望ましい。こうした集材方法によれば、集材されない伐倒木Ｗと移動する伐倒木Ｗとが衝突するなどして損傷を与え商品価値を低下させることを防止しながら極めて効率性の高い集材作業を実現することができる。
【００５９】
なお、上記各実施の形態の説明では、例えば、一方及び他方の主線１，２や第１のワイヤ６１ａ、或いは接続線用滑車６５，６６、更にはダブル滑車８や第３の中間滑車９１等は、それぞれ立木（符号は省略する。）を利用して支持・固定したものであるが、これらは必ずしも立木を利用することなく、ポールその他別個の部材を利用したものであっても良い。また、上記第３のウインチ８２は、作業者が持ち運びできる程度の大きさと重量からなりリモートコントロールにより駆動を開始及び停止できるタイプのものを使用することが望ましい。こうしたタイプのウインチを第３のウインチ８２として利用することにより、移動の簡便性を図ることができるとともに、上記一方及び他方の主線１，２を長距離に亘って張設する作業においても、該第３のウインチ８２を構成する第３のフック８２ｂを使用して該一方及び他方の主線１，２の他端を係止して運ぶ事により、過酷な作業を敬軽減することが可能となる。
【符号の説明】
【００６０】
１  一方の主線
２  他方の主線
１１  第１の搬器
１２  第２の搬器
２１  第１の滑車
２２  第２の滑車
４１，４２  一方の係止具
４３，４４  他方の支持具
４５，４６，４７，４８  挟持部材
６１  第１のウインチ
６１ａ  第１のワイヤ
６１ｂ  第１のフック
６２  第２のウインチ
６２ａ  第２のワイヤ
６２ｂ  第２のフック
６３  接続線
６５  第１の接続線用滑車
６６  第２の接続線用滑車
７０，７１  調整線材
７７  第３の接続線用滑車
７８  第４の接続線用滑車
８０ａ  第１の中間滑車
８０ｂ  第２の中間滑車
８１  第３の搬器
８２  第３のウインチ
８２ａ  第３のワイヤ
８２ｂ  第３のフック
８９  第３の滑車
９０  第４の搬器
９１  第３の中間滑車
９５  第４の滑車
９６  第５の滑車
Ｗ  伐倒木
【図１】
2012082050.tif 000003
【図２】
2012082050.tif 000004
【図３】
2012082050.tif 000005
【図４】
2012082050.tif 000006
【図５】
2012082050.tif 000007
【図６】
2012082050.tif 000008
【図７】
2012082050.tif 000009
【図８】
2012082050.tif 000010
【図９】
2012082050.tif 000011
【図１０】
2012082050.tif 000012
【図１１】
2012082050.tif 000013
【図１２】
2012082050.tif 000014
【図１３】
2012082050.tif 000015
【図１４】
2012082050.tif 000016